(57)【要約】      （修正有）【課題】ガスタービンを試験するためのシステムおよび方法を提供する。【解決手段】ガスタービン性能試験システム１００は、サーバ、トランスデューサシステム１１０、信号変換器１１５、および自動ガスクロマトグラフ１３５を含む。トランスデューサシステムはガスタービンの機能パラメータを取得し、信号変換器はトランスデューサシステムによって取得された機能パラメータをガスタービン運転データに変換する。自動ガスクロマトグラフはガスタービンを動作させるために使用される天然ガスの試験サンプルを自動的に分析する。信号変換器によって生成されたガスタービン運転データおよび試験サンプルから得られた分析情報は、ガスタービン運転データおよび分析情報がそこでガスタービン性能試験結果を得るために使用され得るクライアントコンピュータに通信ネットワークを介して伝播するためにサーバに提供される。【選択図】図１
2017053344.tif 000002
【特許請求の範囲】
【請求項１】
通信ネットワーク（１４０）を介してクライアントコンピュータ（１４５）に通信でつながれたサーバ（２００）と、
ガスタービン（１０５）の１つまたは複数の機能パラメータを取得するように構成されたトランスデューサシステム（１１０）と、
トランスデューサシステム（１１０）に通信でつながれた信号変換器（１１５）であり、前記取得された１つまたは複数の機能パラメータを前記クライアントコンピュータ（１４５）に伝播するために前記サーバに提供されるガスタービン運転データに変換するように構成された前記信号変換器（１１５）と、
前記サーバ（２００）に通信でつながれた自動ガスクロマトグラフ（１３５）であり、ガスタービン（１０５）を動作させるために使用される天然ガスの試験サンプルを自動的に分析するように、および、前記ガスタービン運転データと結合してガスタービン性能試験結果を得るために前記クライアントコンピュータ（１４５）に伝播するために前記サーバ（２００）に前記試験サンプルから得られた分析情報を提供するように構成された、前記自動ガスクロマトグラフ（１３５）と
を備える、ガスタービン性能試験システム（１００）。
【請求項２】
前記トランスデューサシステム（１１０）が、リアルタイムモードの動作または周期モードの動作のうちの１つで前記ガスタービン（１０５）の前記１つまたは複数の機能パラメータを取得するように構成された、請求項１記載のシステム（１００）。
【請求項３】
前記１つまたは複数の機能パラメータが、作動静圧、作動温度、または作動差圧のうちの少なくとも１つを備える、請求項１記載のシステム（１００）。
【請求項４】
前記自動ガスクロマトグラフ（１３５）が、前記ガスタービン（１０５）のガス供給ライン（１０６）につながれ、前記ガス供給ライン（１０６）から前記試験サンプルを自動的に得るように構成された、請求項１記載のシステム（１００）。
【請求項５】
前記自動ガスクロマトグラフ（１３５）を較正するための較正用ガスを提供するために前記自動ガスクロマトグラフ（１３５）につながれた較正用ガス容器（１２０）と、
前記自動ガスクロマトグラフ（１３５）を介して前記天然ガスの前記試験サンプルをプッシュするためのドラッギングガスを提供するために前記自動ガスクロマトグラフ（１３５）につながれたドラッギングガス容器（１３０）と
をさらに備える、請求項４記載のシステム（１００）。
【請求項６】
前記ドラッギングガスが、不活性ガスである、請求項５記載のシステム（１００）。
【請求項７】
前記ガスタービン性能試験結果が、熱関連性能メトリク、圧力関連性能メトリク、燃料関連性能メトリクのうちの少なくとも１つ、あるいは、前記熱関連性能メトリク、前記圧力関連性能メトリクおよび前記燃料関連性能メトリクのうちの２つ以上の組合せを備える、請求項１記載のシステム（１００）。
【請求項８】
ガスタービン（１０５）の性能試験を実行する方法（４００）であって、
トランスデューサシステム（１１０）を使用して前記ガスタービン（１０５）の１つまたは複数の機能パラメータを取得するステップ（４０５）と、
信号変換器（１１５）を使用して、前記取得された１つまたは複数の機能パラメータをガスタービン運転データに変換するステップ（４１０）と、
前記ガスタービン運転データをサーバ（２００）に提供するステップと、
自動ガスクロマトグラフ（１３５）を使用して、前記ガスタービン（１０５）を動作させるために使用される天然ガスの試験サンプルを自動的に分析するステップ（４１５）と、
前記自動ガスクロマトグラフ（１３５）から前記サーバ（２００）に前記天然ガスの前記試験サンプルに関連する分析情報を送るステップと、
クライアントコンピュータ（１４５）で処理して前記ガスタービン運転データまたは前記天然ガスの前記試験サンプルから得られた前記分析情報のうちの少なくとも１つに基づいてガスタービン性能試験結果を得るために、前記ガスタービン運転データおよび前記天然ガスの前記試験サンプルから得られた前記分析情報を通信ネットワーク（１４０）を介して前記遠隔サーバ（２００）から前記クライアントコンピュータ（１４５）に送信するステップ（４２５）と
を含む、方法（４００）。
【請求項９】
較正用ガス容器（１２５）を使用して、前記自動ガスクロマトグラフ（１４５）を較正するための前記自動ガスクロマトグラフに較正用ガスを提供するステップと、
ドラッギングガス容器（１３０）を使用して、前記自動ガスクロマトグラフ（１４５）を介して前記天然ガスの前記試験サンプルをプッシュするために前記自動ガスクロマトグラフにドラッギングガスを提供するステップと
をさらに含む、請求項８記載の方法（４００）。
【請求項１０】
前記ガスタービン性能試験結果が、熱関連性能メトリク、圧力関連性能メトリク、燃料関連性能メトリクのうちの少なくとも１つ、あるいは、前記熱関連性能メトリク、前記圧力関連性能メトリクおよび前記燃料関連性能メトリクのうちの２つ以上の組合せを備える、請求項８記載の方法（４００）。
【発明の詳細な説明】
【技術分野】
【０００１】
本開示は、ガスタービンに関し、より詳細には、ガスタービンを試験するためのシステムおよび方法に関する。
【背景技術】
【０００２】
通常は、ガスタービンは、ガスタービンが運転状態に置かれたときに作用し始める多数の固定部分ならびに可動部分を含む複雑な機械である。予期されるように、これらの様々な部分は、時間とともに劣化または故障することがあり、劣化または故障した部分の結果としてガスタービンの全体的性能が低下するときに、取替えを必要とすることがある。しかし、特にそのような交換がガスタービンの停止を必要とする場合、その部分が完全に機能しなくなるまたは故障するのを待って故障した部分を交換することは、一般に望ましくない。したがって、そのような状況を避けるために、ガスタービンは、ガスタービンの様々な構成要素を評価するために、および、ガスタービンが満足のいく性能レベルで動作することを確保するために、定期的試験を受けることがある。
【０００３】
場合によっては、その定期的性能試験は、保証契約または請負契約合意の一部としてガスタービンの製造会社によって（または、ガスタービンの販売者によって）行われることがある。通常は、そのような試験は、ガスタービンを試験してもらうための適切な準備を顧客が行った後に、顧客の所在地の現地で行われる。当然のことながら、ガスタービンの複雑性およびガスタービンがさらされ得る様々な動作条件を所与として、現地での定期的試験は、顧客側のならびに製造会社もしくは販売者側のかなりの量の時間と支出を要する複雑で手の込んだ手順になり得る。
【先行技術文献】
【特許文献】
【０００４】
【特許文献１】米国特許第７８４０３３２号明細書
【発明の概要】
【０００５】
本開示の実施形態は、概して、ガスタービンの性能試験のシステムおよび方法を対象とする。本開示の１つの例示的実施形態によれば、ガスタービン性能試験システムは、サーバ、トランスデューサシステム、信号変換器、および自動ガスクロマトグラフを含み得る。そのサーバは、通信ネットワークを介してクライアントコンピュータに通信でつながれる。そのトランスデューサシステムは、ガスタービンの１つまたは複数の機能パラメータを取得するように構成される。トランスデューサシステムに通信でつながれた信号変換器は、クライアントコンピュータに伝播するためにサーバに提供されるガスタービン運転データにその取得された機能パラメータを変換するように構成される。同様にサーバに通信でつながれた自動ガスクロマトグラフは、ガスタービンを動作させるために使用される天然ガスの試験サンプルを自動的に分析し、ガスタービン運転データと結合してガスタービン性能試験結果を得るためにクライアントコンピュータに伝播するためにサーバに試験サンプルから得られた分析情報を提供するように構成される。
【０００６】
本開示のもう１つの例示的実施形態によれば、ガスタービンに性能試験を実行する方法は、トランスデューサシステムを使用してガスタービンの１つまたは複数の機能パラメータを取得するステップを含む。信号変換器は、取得された機能パラメータをサーバに提供されるガスタービン運転データに変換するために使用される。本方法はさらに、自動ガスクロマトグラフを使用してガスタービンを動作させるために使用される天然ガスの試験サンプルを自動的に分析するステップと、天然ガスの試験サンプルに関連する分析情報を自動ガスクロマトグラフからサーバに転送するステップとを含む。そのサーバは、クライアントコンピュータで処理してガスタービン運転データおよび／または天然ガスの試験サンプルから得られた分析情報に基づく性能試験結果を得るために、ガスタービン運転データおよび天然ガスの試験サンプルから得られた分析情報をクライアントコンピュータに通信ネットワークを介して送信する。
【０００７】
本開示のさらにもう１つの例示的実施形態によれば、コンピュータ可読記憶メディアが、提供され得る。そのコンピュータ可読記憶メディアは、トランスデューサシステムを介してガスタービンの１つまたは複数の運転パラメータを取得するステップと、取得された運転パラメータをガスタービン運転データに信号変換器を介して変換するステップと、ガスタービンを動作させるために使用される天然ガスの試験サンプルを自動ガスクロマトグラフを介して自動的に分析するステップと、クライアントコンピュータで処理してガスタービン性能試験結果を得るために、通信ネットワークを介して、ガスタービン運転データおよび天然ガスの試験サンプルから得られた分析情報を送信するステップとを含み得る動作を実行するためのコンピュータによって実行可能な命令がそこに記憶されている。
【０００８】
本開示の他の実施形態および態様は、以下の図面と併せて以下の説明から明らかとなろう。
【０００９】
ここまで大まかに本開示を説明したが、ここで、必ずしも原寸に比例して描かれていない、以下のような添付の図面を参照する。
【図面の簡単な説明】
【００１０】
【図１】本開示のある種の実施形態によるガスタービンの遠隔試験のための例示的性能試験システムを示す図である。
【図２】本開示のある種の実施形態によるガスタービンの遠隔性能試験のために構成された例示的サーバコンピュータを示す図である。
【図３】本開示のある種の実施形態によるガスタービンの遠隔性能試験のために構成された例示的クライアントコンピュータを示す図である。
【図４】本開示のある種の実施形態によるガスタービンの遠隔性能試験のための方法の例示的流れ図である。
【発明を実施するための形態】
【００１１】
本開示は、ここで、本開示の例示的実施形態がそこに示される添付の図面を参照して、以下にさらに十分に説明される。しかし、本開示は、多数の異なる形で実施することができ、本明細書に明記された例示的実施形態に限定されるものとして解釈されるべきではなく、そうではなくて、これらの実施形態は、本開示が適用される法的必要条件を満たすように提供される。同様の番号は、通して同様の要素を参照する。
【００１２】
総括としては、本明細書に記載のシステムおよび方法のある種の実施形態は、ガスタービンの性能試験の実行に向けられる。いくつかの例示的実装形態では、性能試験は、現在および／または将来のいずれかにガスタービンの性能に悪影響を及ぼし得る様々な潜在的なハードウェアおよび／またはソフトウェアの問題点を識別するために、離れた場所で動作しているガスタービンを評価するために使用することができる。いくつかの他の例示的実装形態では、その性能試験は、試験担当者がガスタービンが置かれた場所を訪問し、ガスタービンの本格的な現地性能試験を実行することを含む現地試験の実行に先立って現場から離れた遠隔地から行うことができる予備試験手続きでもよい。現地試験の実行に先立つ遠隔予備試験の実行は、たとえば、現地試験に悪影響を及ぼし得る何らかの問題に顧客が先制して対処することを可能にすること、現地試験に費やされる時間および金を減らすために、製造会社または販売者が顧客にアドバイスまたは忠告を与えるのを助けること、および、前もって試験データを集めてある一定の金銭的コスト負担を避けることなど、様々な利益をもたらすことができる。これらの金銭的コストは、たとえば、現場から離れた試験施設で前もって集めることができるある特定のタイプの試験データの収集に試験担当者が現地で時間を費やすことに関連するコスト、あるいは、現地での待ち時間または遅延を避けるために前もって行うことができるある種の計算に関連するコストを含み得る。
【００１３】
本開示のある種の実施形態によるガスタービン１０５の遠隔試験のための例示的性能試験システム１００を示す図１に注目する。性能試験システム１００は、広くは、２つの区分に分割することができる。破線ボックス１５０によって識別される第１の区分は、遠隔区分と呼ぶことができ、破線ボックス１５５によって識別される第２の区分は、そこから遠隔性能試験が本開示によるクライアントコンピュータ１４５を使用することによって通信ネットワーク１４０を介してガスタービン１０５に行われ得る、ローカル区分と呼ぶことができる。そのようなものとして、この配列は、ガスタービン１０５の遠隔性能試験を実行するために様々な「遠隔」要素（遠隔区分１５０に示されるもののいくつかの例）と通信ネットワーク１４０を介して対話するために「ローカル」要素（例示的クライアントコンピュータ１４５の形の）を使用する性能試験システム１００として解釈してもよい。単に説明の便宜上、遠隔区分１５０に示される様々な要素は、以下「遠隔」要素と呼ばれることがある。しかし、本開示によれば、すべての「遠隔」要素が単一の場所に共にあることは必要条件ではないことを理解されたい。いくつかの例示的実施形態では、遠隔区分１５０に示される遠隔要素のうちの複数の遠隔要素が、複数の異なる場所に物理的に配置されてもよい。
【００１４】
クライアントコンピュータ１４５は、たとえば、企業ワイドエリアネットワークまたは公衆ワイドエリアネットワーク（たとえば、インターネット）などの任意の１つまたは複数のネットワークでもよい、通信ネットワーク１４０を介して、遠隔サーバ１２０に通信でつながれる。図１に示される遠隔サーバ１２０は、１つまたは複数のコンピューティング要素の絵による視覚表現であり、たとえば、別のネットワーク（図示せず）を介してまたは通信ネットワーク１４０を介して互いに通信でつながれた複数のサーバを含み得る。これらの複数のサーバは、たとえば、逐次問合せ言語（ＳＱＬ：ｓｅｑｕｅｎｔｉａｌ  ｑｕｅｒｙ  ｌａｎｇｕａｇｅ）サーバ、履歴サーバ、およびサービス指向アーキテクチャ（ＳＯＡ）サーバを含み得る。
【００１５】
ガスタービン１０５は、通常は、圧縮空気を燃焼器に提供するコンプレッサなどの様々な部分（図示せず）を組み込む。燃焼器では、圧縮空気は、燃料と混合され、混合物は点火されて高温燃焼ガスを生み出す。これらの高温燃焼ガスは、コンプレッサに電力を提供し、たとえば、発電機のための電力の生成など、様々なタスクのために使用することができる回転出力を提供するために、あるいは航空機への推進力の提供のために、高温燃焼ガスからエネルギを抽出する１つまたは複数のタービンロータに下流へと流れる。本明細書では天然ガスとも呼ばれることがあるガスタービン１０５に提供される燃料は、ガス供給ライン１０６を介してガスタービン１０５に運ばれる。ガス供給ライン１０６で移送される天然ガスの一部は、本開示によるガスタービン１０５の遠隔性能試験の一部として天然ガスの試験サンプルを自動的に分析することができる遠隔自動ガスクロマトグラフ１３５に補助的ガスライン１０７を介して方向転換させられる。試験サンプルの自動分析は、たとえば、ＡＳＴＭ１９４５のような業界で知られている規格による天然ガスの組成など、燃料関連情報を得るために使用することができる。１つの例示的実装形態では、天然ガスサンプルは、Ｃ６＋ヘキサン組成を識別するために試験され得る。したがって、分析情報は、特定の燃料組成などの燃料関連情報を含み得る。
【００１６】
較正用ガス容器１２５は、本開示によるガスタービン１０５の遠隔性能試験の一部として遠隔自動ガスクロマトグラフ１３５に較正用ガスを供給するために使用することができる。較正用ガスは、遠隔性能試験を実行するためのガス供給ライン１０６を介する天然ガスのサンプルの提供に先立って遠隔自動ガスクロマトグラフ１３５を較正するために遠隔自動ガスクロマトグラフ１３５に提供され得る。遠隔自動ガスクロマトグラフ１３５はまた、本明細書では「ドラッギング」ガスと呼ばれるものをドラッギングガス容器１３０から提供され得る。ドラッギングガスは、遠隔性能試験の実行中に遠隔自動ガスクロマトグラフ１３５を介して天然ガスサンプルをプッシュするためにいくつかの例示的実装形態で使用されることがあり、天然ガスサンプルが遠隔自動ガスクロマトグラフ１３５で自動的に分析された後に遠隔自動ガスクロマトグラフ１３５をフラッシュするためのいくつかの例示的実装形態で使用されることがある。ドラッギングガスは、補助的ガスライン１０７を介してガス供給ライン１０６から引き込まれる天然ガスサンプルの分析から得られる性能試験結果に影響を及ぼさない不活性ガスでもよい。
【００１７】
天然ガスサンプルの分析から得られたガスクロマトグラフィ試験結果は、たとえば、モドバス（Ｍｏｄｂｕｓ）プロトコルなど、様々な通信プロトコルを組み込み得る通信リンク１３６を介して遠隔サーバ１２０に通信される。天然ガスサンプルの分析によって得られる性能試験結果のいくつかの例は、たとえば、メタン、エタン、プロパン、ｉ−ブタン、ｎ−ブタン、ｉ−ペンタン、ｎ−ペンタン、ヘキサン、二酸化炭素、および窒素など、天然ガスサンプル内に存在し得る各々の様々な構成要素の百分率分子値を含み得る。遠隔サーバ１２０は、未加工の形または処理された形式（試験結果の何らかの処理を実行した後）のいずれかでガスクロマトグラフィ試験結果を通信ネットワーク１４０を介してクライアントコンピュータ１４５に送る。
【００１８】
自動ガスクロマトグラフ１３５によって提供されるガスクロマトグラフィ試験結果は、本開示のある種の実施形態によるガスタービン１０５での遠隔性能試験の実行によって得られる累積的性能試験結果の一部を構成し得る。累積的性能試験結果のもう１つの部分は、ガスタービン１０５に通信でつながれた遠隔トランスデューサシステム１１０を使用することによって導出され得る。トランスデューサシステム１０５は、たとえば、ガスタービン１０５の様々な機能パラメータの測定結果を得るために使用することができる圧力トランスデューサおよび温度センサなど、様々なトランスデューサのうちの１つまたは複数を含み得る。ガスタービン１０５のいくつかの例示的機能パラメータは、ガスタービン１０５の１つまたは複数の構成要素に関連する作動静圧、作動温度、および／または作動差圧を含み得る。
【００１９】
１つの例示的実装形態では、トランスデューサシステム１０５は、リアルタイムでそのような測定結果を自動的に得るように構成される。そのリアルタイム測定結果は、リアルタイムでガスタービン１０５の遠隔性能試験を実行するために使用することができる。もう１つの例示的実装形態では、トランスデューサシステム１０５は、たとえば、毎時間、毎日、毎週、または毎月など、定期的に測定結果を自動的に得るように構成される。その測定結果は、ガスタービン１０５のリアルタイム、ほぼリアルタイム、または非リアルタイムの遠隔性能試験を実行するときに履歴データの形で使用することができる。
【００２０】
ガスタービン１０５の測定された機能パラメータは、遠隔トランスデューサシステム１１０から遠隔信号変換器１１５につながれる。遠隔信号変換器１１５は、測定された機能パラメータを標準形式にし、遠隔サーバ１２０に標準形式でガスタービン運転データを提供する。したがって、運転データは、たとえば、ガスタービン１０５の１つまたは複数の構成要素に関連する静圧、作動温度、および作動差圧のリアルタイム測定結果を含み得る。遠隔トランスデューサシステム１１０、遠隔信号変換器１１５および遠隔サーバ１２０の組合せは、ガスタービン１０５が置かれた現地での担当者による手動の介入なしに実行することができる完全自動測定手続きの実行を可能にする。
【００２１】
遠隔サーバ１２０は、未加工の形または処理された形式（遠隔サーバ１２０で何らかのデータ処理を実行した後）のいずれかで、１１５から得られたガスタービン運転データおよび遠隔自動ガスクロマトグラフ１３５から得られたガスクロマトグラフィ試験結果を通信ネットワーク１４０を介してクライアントコンピュータ１４５に送信する。図１に示すようにクライアントコンピュータ１４５は、ラップトップコンピュータ、デスクトップコンピュータ、タブレット、またはスマートフォンなどの１つまたは複数のコンピューティングデバイスの絵による視覚表現であり、別のネットワーク（図示せず）または通信ネットワーク１２０を介して互いに通信でつながれた複数のクライアントコンピュータを含み得る。クライアントコンピュータ１４５は、ガスタービン運転データおよび遠隔サーバ１２０から受信されたガスクロマトグラフィ試験結果を使用して、たとえば、熱メトリクスおよび燃料関連メトリクスなど、ガスタービン１０５の様々な性能メトリクスを計算することができる。ガスタービン１０５の熱メトリクスは、たとえば、ＡＳＭＥ  ＰＴＣ−２２試験コードに準拠する発熱率計算方法を適用することによって、計算することができる。さらに、クライアントコンピュータ１４５は、ガスタービン性能試験結果および遠隔サーバ１２０から受信されたガスクロマトグラフィ試験結果を使用して、たとえば、熱関連性能メトリク、圧力関連性能メトリク、燃料関連性能メトリク、あるいは、熱関連性能メトリク、圧力関連性能メトリクおよび燃料関連性能メトリクのうちの２つ以上の組合せなど、他の性能メトリクスを計算することができる。
【００２２】
ここで、本開示のある種の実施形態によるガスタービン１０５の遠隔性能試験のために構成された例示的遠隔サーバ２００を示す図２に注目する。図１に示す遠隔サーバ１２０の機能を実行するために使用することができるコンピュータシステムを表す遠隔サーバ２００は、本開示のある種の実施形態によるガスタービンの遠隔性能試験に関連するある種の動作態様を実行するためにプロセッサ２０５を組み込む。プロセッサ２０５は、メモリ２２５と通信する能力を有する。プロセッサ２０５は、適切なハードウェア、ソフトウェア、ファームウェア、または、その組合せを使用し、実装および動作することができる。ソフトウェアまたはファームウェア実装形態は、記載された様々な機能を実行するために任意の適切なプログラミング言語で書かれたコンピュータ実行可能または機械実行可能命令を含み得る。１つの実施形態では、機能ブロック言語に関連する命令は、メモリ２２５に記憶し、プロセッサ２０５によって実行することができる。
【００２３】
メモリ２２５は、プロセッサ２０５によってロード可能および実行可能なプログラム命令を記憶するために、ならびに、これらのプログラムの実行中に生成されたデータを記憶するために、使用することができる。コンピュータ２００の構成およびタイプに応じて、メモリ２２５は、揮発性（たとえば、ランダムアクセスメモリ（ＲＡＭ））および／または不揮発性（たとえば、読取り専用メモリ（ＲＯＭ）、フラッシュメモリなど）でもよい。いくつかの実施形態では、そのメモリデバイスはまた、磁気ストレージ、光ディスク、および／またはテープストレージを含むがこれらに限定されない、付加的取外し可能ストレージ２３０および／または取外し不能ストレージ２３５を含み得る。ディスクドライブおよびそれらの関連コンピュータ可読メディアは、そのデバイスのためのコンピュータ可読命令、データ構造体、プログラムモジュール、および他のデータの不揮発性ストレージを提供することができる。いくつかの実装形態では、メモリ２２５は、ランダムアクセスメモリ（ＳＲＡＭ）、ダイナミックランダムアクセスメモリ（ＤＲＡＭ）、またはＲＯＭなど、複数の異なるタイプのメモリを含み得る。
【００２４】
メモリ２２５、取外し可能ストレージ２３０および取外し不能ストレージ２３５は、すべて、コンピュータ可読ストレージメディアの例である。たとえば、コンピュータ可読ストレージメディアは、コンピュータ可読命令、データ構造体、プログラムモジュールまたは他のデータなどの情報の記憶のための任意の方法または技術で実装された揮発性および不揮発性、取外し可能および取外し不能メディアを含み得る。存在し得るさらなるタイプのコンピュータストレージメディアは、プログラム可能ランダムアクセスメモリ（ＰＲＡＭ）、ＳＲＡＭ、ＤＲＡＭ、ＲＡＭ、ＲＯＭ、電気的消去可能プログラム可能読取り専用メモリ（ＥＥＰＲＯＭ）、フラッシュメモリまたは他のメモリ技術、コンパクトディスク読取り専用メモリ（ＣＤ−ＲＯＭ）、デジタル多用途ディスク（ＤＶＤ）または他の光ストレージ、磁気カセット、磁気テープ、磁気ディスクストレージまたは他の磁気ストレージデバイス、あるいは、所望の情報を記憶するために使用することができ、そのデバイスによってアクセスすることができる任意の他のメディアを含むが、これらに限定されない。前述のいずれかの組合せもまた、コンピュータ可読メディアの範囲に含められるべきである。
【００２５】
コンピュータ２００はまた、コンピュータ２００と通信する能力を有するデバイスまたは機器と制御デバイス（図示せず）が通信することを可能にすることができる１つまたは複数の通信接続２１０を含み得る。その接続は、ネットワーク上の様々な他のデバイスに制御デバイスを接続するケーブルを受けるためのＵＳＢまたはＣＯＭポートなど、様々なデータ通信チャネルまたはポートを介して確立され得る。１つの実施形態では、制御デバイスは、制御デバイスがネットワーク上の他のデバイスと通信することを可能にするイーサネット（登録商標）ドライバを含み得る。様々な実施形態によれば、通信接続２１０は、ネットワーク上のワイヤードおよび／またはワイヤレス接続を介して確立され得る。
【００２６】
コンピュータ２００はまた、キーボード、マウス、ペン、音声入力デバイス、およびタッチ入力デバイスなど、１つまたは複数の入力デバイス２１５を含み得る。コンピュータ２００はさらに、ディスプレイ、プリンタ、およびスピーカなど、１つまたは複数の出力デバイス２２０を含み得る。
【００２７】
しかし、他の実施形態では、コンピュータ可読通信メディアは、コンピュータ可読命令、プログラムモジュール、あるいは、搬送波などのデータ信号または他の伝送で送信される他のデータを含み得る。しかし、本明細書では、コンピュータ可読ストレージメディアは、コンピュータ可読通信メディアを含まない。
【００２８】
メモリ２２５の内容を見ると、メモリ２２５は、オペレーティングシステム（ＯＳ）２２６と、本明細書で開示される特徴および態様を実装するための１つまたは複数のアプリケーションプログラムまたはサービスとを含み得るが、これらに限定されない。そのようなアプリケーションまたはサービスは、ガスタービンの性能試験の遠隔部分を実行するためのサーバプログラムモジュール２２７を含み得る。１つの実施形態では、サーバプログラムモジュール２２７は、構成可能な制御ブロック言語で提供されるおよび不揮発性メモリに記憶されるソフトウェアによって、実装され得る。プロセッサ２０５によって実行されるとき、サーバプログラムモジュール２２７は、本開示に記載される遠隔サーバ１２０に関連する様々な機能および特徴を実装する。
【００２９】
図３は、本開示のある種の実施形態によるガスタービン１０５の遠隔性能試験のために構成された例示的クライアントコンピュータ３００を説明する。図１に示すクライアントコンピュータ１４５の機能を実行するために使用することができるコンピュータシステムを表すクライアントコンピュータ３００は、プロセッサ３０５と本開示のある種の実施形態によるガスタービンの遠隔性能試験に関連するある種の動作態様を実行するための他の要素とを組み込む。プロセッサ３０５ならびにクライアントコンピュータ３００のその他の要素のそれらの特徴は、遠隔サーバ１２０に関して前述で提供された同様の要素の説明を考慮して理解することができ、簡潔にするために、ここでは繰り返されない。これらの様々な要素は、本開示のある種の実施形態によるガスタービンの遠隔性能試験のクライアント側動作を実装するようになされる。したがって、オペレーティングシステム（ＯＳ）３２６と本明細書で開示される特徴および態様を実装するための１つまたは複数のアプリケーションプログラムまたはサービスとを含み得るがこれらに限定されない、メモリ３２５に注目する。そのようなアプリケーションまたはサービスは、ガスタービンの遠隔性能試験のローカルクライアント側の部分を実行するためにクライアントプログラムモジュール３２７を含み得る。１つの実施形態では、クライアントプログラムモジュール３２７は、構成可能な制御ブロック言語で提供されるおよび不揮発性メモリに記憶されるソフトウェアによって、実装され得る。プロセッサ３０５によって実行されるとき、クライアントプログラムモジュール３２７は、本開示に記載のクライアントコンピュータ１４５に関連する様々な機能および特徴を実装する。
【００３０】
図４は、本開示の少なくとも１つの実施形態によるガスタービンの遠隔性能試験のための方法の例示的流れ図４００を示す。流れ図４００は、図１に示す様々な機能ブロックのインタラクションによって、具体的には図１に示す性能試験システム１００の遠隔要素によって、実行することができる一連の動作を表す。さらに具体的には、流れ図４００は、遠隔トランスデューサシステム１１０および遠隔信号変換器１１５を介してサーバ１２０によって実行することができる動作を表すブロック４０５を含む。具体的には、ブロック４０５で、ガスタービンの１つまたは複数の機能パラメータが、たとえば遠隔トランスデューサシステム１１０など、遠隔トランスデューサを介して取得される。ブロック４１０では、取得された機能パラメータは、たとえば遠隔信号変換器１１５など、遠隔信号変換器によってガスタービン運転データに変換される。ブロック４１５では、ガスタービンを動作させるために使用される天然ガスの試験サンプルが、たとえば遠隔自動ガスクロマトグラフ１３５など、遠隔自動ガスクロマトグラフによって自動的に分析される。ブロック４２５では、ガスタービンの取得された機能パラメータから導出されたガスタービン運転データ、および、遠隔自動ガスクロマトグラフから導出された分析情報が、処理してガスタービン性能試験結果を得るために、たとえば、クライアントコンピュータ１４５など、クライアントコンピュータに送信される。
【００３１】
本明細書では、本開示の例示的実施形態によるシステム、方法、およびコンピュータプログラム製品のブロック図が参照される。ブロック図のブロックのうちの少なくともいくつか、および、ブロック図中のブロックの組合せは、それぞれ、コンピュータプログラム命令によって少なくとも部分的に実装され得ることが理解されよう。これらのコンピュータプログラム命令は、コンピュータまたは他のプログラム可能データ処理装置で実行する命令が、ブロック図のブロックのうちの少なくともいくつかまたは論じられるブロック図中のブロックの組合せの機能を実装するための手段を生み出すように、汎用コンピュータ、専用コンピュータ、専用ハードウェアベースのコンピュータ、または機械を作るための他のプログラム可能データ処理装置にロードされ得る。
【００３２】
コンピュータ可読メモリに記憶された命令が、１つまたは複数のブロックで指定された機能を実装する命令手段を含む製品を生み出すように、これらのコンピュータプログラム命令はまた、コンピュータまたは他のプログラム可能データ処理装置が特定の方式で機能するように導くことができるコンピュータ可読メモリに記憶され得る。それらのコンピュータプログラム命令はまた、コンピュータまたは他のプログラム可能装置で実行する命令が１つまたは複数のブロックで指定された機能を実装するための要素を提供するように、コンピュータまたは他のプログラム可能データ処理装置にロードされて一連の動作要素をコンピュータまたは他のプログラム可能装置で実行させてコンピュータ実装プロセスを生み出すことができる。
【００３３】
本システムの１つまたは複数の構成要素および本明細書に記載される方法の１つまたは複数の要素は、コンピュータのオペレーティングシステムで実行するアプリケーションプログラムを介して実装することができる。それらはまた、ハンドヘルドデバイス、マルチプロセッサシステム、マイクロプロセッサベースの、またはプログラム可能な家庭用電化製品、ミニコンピュータ、メインフレームコンピュータなどを含む、他のコンピュータシステム構成で実施することができる。
【００３４】
本明細書に記載のシステムおよび方法の構成要素であるアプリケーションプログラムは、ある特定の抽象データタイプを実装するおよびある特定のタスクもしくは動作を実行するルーチン、プログラム、構成要素、データ構造体などを含み得る。分散コンピューティング環境では、そのアプリケーションプログラム（全体的または部分的に）は、ローカルメモリに、または他のストレージに置かれてもよい。加えて、または代替で、そのアプリケーションプログラム（全体または部分的に）は、タスクが通信ネットワークを介してリンクされた遠隔処理デバイスによって実行される状況を可能にするために、遠隔メモリにまたはストレージに置かれてもよい。
【００３５】
本明細書に明記される例示的説明の、これらの説明が関連する、多数の修正形態および他の実施形態が、前述の説明および関連図面で提示される教示の助けを借りて、思い浮かぶことになろう。したがって、本開示は、多数の形で実施することができ、前述の例示的実施形態に限定されるものではないことが、理解されよう。したがって、本開示は、開示された特定の実施形態に限定されるものではなく、修正形態および他の実施形態が添付の特許請求の範囲に含まれるものであることを理解されたい。特定の用語が本明細書で使用されるが、それらは一般的および説明的意味で使用され、限定を目的としていない。
【符号の説明】
【００３６】
１００  性能試験システム
１０５  ガスタービン
１０６  ガス供給ライン
１０７  補助的ガスライン
１１０  遠隔トランスデューサシステム
１１５  遠隔信号変換器
１２０  遠隔サーバ
１２５  較正用ガス容器
１３０  ドラッギングガス容器
１３５  遠隔自動ガスクロマトグラフ
１３６  通信リンク
１４０  通信ネットワーク
１４５  クライアントコンピュータ
１５０  第１の区分
１５５  第２の区分
２００  遠隔サーバおよび／またはコンピュータ
２０５  プロセッサ
２１０  通信接続
２１５  入力デバイス
２２０  出力デバイス
２２５  メモリ
２２６  オペレーティングシステム（ＯＳ）
２２７  サーバプログラムモジュール
２３０  取外し可能ストレージ
２３５  取外し不能ストレージ
３００  クライアントコンピュータ
３０５  プロセッサ
３２５  メモリ
３２６  オペレーティングシステム（ＯＳ）
３２７  クライアントプログラムモジュール
【図１】
2017053344.tif 000003
【図２】
2017053344.tif 000004
【図３】
2017053344.tif 000005
【図４】
2017053344.tif 000006
【外国語明細書】
2017053344000001.pdf